(57)【要約】【課題】カム溝と直進溝とを交差させて形成することにより、筒体の安定的な動作を確保しつつ小型化が可能なレンズ装置を提供する。【解決手段】回転筒１７の内周面には、第２レンズ筒を光軸２０に沿って移動させるための第２レンズ用カム溝２１と、移動筒を光軸２０に沿ってガイドするための移動筒用直進溝２２とが形成されており、第２レンズ用カム溝２１と移動筒用直進溝２２とは、それぞれ交差して形成されている。これにより、第２レンズ用カム溝２１は、移動筒用直進溝２２の有無に関係なく、自由に傾斜角度を設定することができ、第２レンズ筒を安定的に動作させることができる。また、レンズ装置を可能な限り小型化できる。【選択図】   図１２
2006023781.tif 000002
【特許請求の範囲】
【請求項１】
レンズに変倍動作をさせる変倍領域と収納動作をさせる収納領域とを有するカム溝と、直進溝とが同じ筒体の内周面に形成されたレンズ装置において、
前記直進溝が、前記カム溝よりも浅く形成されるとともに、前記カム溝に係合するピンが、前記収納領域を摺動している時に前記直進溝に係合するピンが交差部を通過するように、前記直進溝と前記カム溝とが交差して形成されることを特徴とするレンズ装置。
【請求項２】
前記カム溝に係合するピンは、収納係合部と、該収納係合部の頂部同軸上に形成され、該収納係合部よりも小径の変倍係合部とからなり、
前記カム溝は、前記変倍領域で前記カムピンの変倍係合部と係合し、前記収納領域で前記カムピンの収納係合部に係合するように形成されることを特徴とする請求項１に記載のレンズ装置。
【請求項３】
前記直進溝に係合するピンの長さを前記交差部における前記カム溝の幅よりも長く形成することを特徴とする請求項１又は２に記載のレンズ装置。
【発明の詳細な説明】
【技術分野】
【０００１】
本発明はレンズ装置に係り、特にズーム機能を備えた沈胴式のカメラに用いられるレンズ装置に関するものである。
【背景技術】
【０００２】
レンズ筒を光軸に沿って移動させる手段としてカム機構が知られている。カム機構は、たとえばレンズ筒の外周面に３本のカムピンを設け、そのカムピンを固定筒に形成された３本の直進孔に係合させるとともに、回転筒に形成された３本のカム溝に係合させることにより構成される。あるいは、レンズ筒の外周面に３本のカムピンを設け、そのカムピンを固定筒に形成された３本のカム孔に係合させるとともに、回転筒に形成された３本の直進溝に係合させることにより構成される。そして、このように構成されたカム機構では、回転筒を回転させると、レンズ筒がカム溝の光軸に沿った変位分だけ移動する。
【０００３】
ところで、このカム機構には、１つの回転筒で複数のレンズ筒を移動させることができるように構成しているものがあり、この場合、回転筒の内周面には、移動させるレンズ筒の数だけカム溝又は直進溝が形成される。そして、従来、カム溝と直進溝とを１つの回転筒に形成する場合には、互いに交差しないように、それぞれ独立して設けていた。
【特許文献１】特開平１０−２８２３９４号公報
【発明の開示】
【発明が解決しようとする課題】
【０００４】
しかしながら、カム溝と直進溝とが交差しないよう、それぞれを独立して回転筒の内周面に形成すると、カム溝の傾斜が急なものとなり、作動負荷が増大してレンズ筒を安定的に動作させることができなくなるという欠点があった。一方、レンズ筒を安定的に動作させるために、カム筒の傾斜を緩やかにすると、レンズ鏡筒の径が大きくなり、レンズ装置の小型化が図れないという欠点があった。
【０００５】
この一方で回転筒の内周面にカム溝同士を互いに交差して形成することにより、光軸方向の全長の短縮化を図ったズームレンズ装置が本願出願人より提案されて、特開平１０−２８２３９４号公報に開示されているが、カム溝同士を交差させる場合は、交差部の位置が限定されてしまい、設計の自由度が低いという欠点がある。
【０００６】
すなわち、カム溝同士を交差させる場合、２本のカム溝がある程度の角度をなして交差しないと、各カム溝を通過するカムピンが交差部において他方のカム溝に誘導されてしまう。このため、カム溝同士を交差させる場合は、まず、２本のカム溝を照合し、ある程度の角度でカム溝同士が交差するように位置を考えなければならない。この結果、設計の自由度が低下する。
【０００７】
また、このようにして選択したカム溝の交差位置と、本来鏡筒の径を最小にするのに最適なカム溝の交差位置とが、必ずしも一致せず、安定した動作を確保しつつ、カム溝同士を交差させて鏡筒を小型化するのには限界があった。
【０００８】
本発明は、このような事情に鑑みてなされたもので、筒体の安定的な動作を確保しつつ小型化が可能なレンズ装置を提供することを目的とする。
【課題を解決するための手段】
【０００９】
請求項１に係る発明は、前記目的を達成するために、レンズに変倍動作をさせる変倍領域と収納動作をさせる収納領域とを有するカム溝と、直進溝とが同じ筒体の内周面に形成されたレンズ装置において、前記直進溝が、前記カム溝よりも浅く形成されるとともに、前記カム溝に係合するピンが、前記収納領域を摺動している時に前記直進溝に係合するピンが交差部を通過するように、前記直進溝と前記カム溝とが交差して形成されることを特徴とするレンズ装置を提供する。
【００１０】
請求項２に係る発明は、前記目的を達成するために、前記カム溝に係合するピンは、収納係合部と、該収納係合部の頂部同軸上に形成され、該収納係合部よりも小径の変倍係合部とからなり、前記カム溝は、前記変倍領域で前記カムピンの変倍係合部と係合し、前記収納領域で前記カムピンの収納係合部に係合するように形成されることを特徴とする請求項１に記載のレンズ装置を提供する。
【００１１】
請求項３に係る発明は、前記目的を達成するために、前記直進溝に係合するピンの長さを前記交差部における前記カム溝の幅よりも長く形成することを特徴とする請求項１又は２に記載のレンズ装置を提供する。
【００１２】
本発明は、前記目的を達成するために、筒体の内周面に直進溝とカム溝とが形成されたレンズ装置において、前記直進溝と前記カム溝とが交差して形成されていることを特徴とするレンズ装置を提供する。
【００１３】
本発明によれば、カム溝と直進溝とを交差させて筒体の内周面に形成する。これにより、直進溝に関係なく、自由にカム溝の傾斜を設定することができるので、各筒体を安定的に動作させることができるとともに、レンズ装置を可能な限り小型化できる。すなわち、直進溝は、光軸と平行に形成されているため、カム溝とどの位置で交差させても筒体の径には何ら影響を及ぼすことがない。このため、最も交差角度が大きくなる位置でカム溝と直進溝とを交差させることができる。この結果、筒体を安定動作を確保しつつ、可能な限り筒体の径の小型化が図れる。
【００１４】
また、本発明は、前記目的を達成するために、前記直進溝と前記カム溝とが、互いに異なる深さで形成されていることを特徴とする請求項１記載のレンズ装置を提供する。
【００１５】
本発明によれば、直進溝とカム溝とを互いに異なる深さで形成することにより、直進溝に係合するカムピンがカム溝に入り込むのを防止できるとともに、カム溝に係合するカムピンが直進溝に入り込むのを防止できる。
【００１６】
また、本発明は、前記目的を達成するために、前記カム溝は、カムピンを介して係合するレンズ筒に変倍動作をさせる変倍領域と収納動作をさせる収納領域とからなり、収納領域で前記直進溝が交差することを特徴とする請求項１又２記載のレンズ装置を提供する。
【００１７】
本発明によれば、ズーム機能を備えるとともに、使用時のみレンズ鏡筒がカメラ本体から繰り出されるレンズ装置にあっては、カム溝の収納領域で直進溝を交差させることにより、たとえ交差点でカムピンに引っ掛かりが生じても、光学性能に影響を与えることなく動作させることができる。
【００１８】
また、本発明は、前記目的を達成するために、筒体の内周面に複数の第１溝が所定の間隔をもって形成されるとともに、複数の第２溝が所定の間隔をもって形成されたレンズ装置において、前記第１溝又は前記第２溝を周方向に不等間隔で形成することにより、前記第１溝と前記第２溝とを互いに交差させて形成するとともに、その各交差位置を撮影光軸に沿ってずらすことを特徴とするレンズ装置を提供する。
【００１９】
本発明によれば、第１溝と第２溝との交差位置を撮影光軸の方向にずらすことにより、各カムピンが交差部を通過するタイミングをずらすことができ、交差点における引っ掛かりなどによる作動不良の発生を防止できる。
【００２０】
また、本発明は、前記目的を達成するために、筒体の内周面に複数の第１溝と複数の第２溝とが形成されたレンズ装置において、前記各第１溝又は前記各第２溝の形成位置を撮影光軸に沿ってずらして形成することにより、前記第１溝と前記第２溝とを互いに交差させて形成するとともに、その各交差位置を撮影光軸に沿ってずらすことを特徴とするレンズ装置。
【００２１】
本発明によれば、第１溝と第２溝との交差位置を撮影光軸の方向にずらすことにより、各カムピンが交差部を通過するタイミングをずらすことができ、交差点における引っ掛かりなどによる作動不良の発生を防止できる。
【００２２】
また、本発明は、前記目的を達成するために、筒体の内周面に第１溝と第２溝とが形成されたレンズ装置において、前記第１溝と前記第２溝とを互いに交差して形成するとともに、前記第１溝に係合するカムピンの長さを、交差部における第２溝の幅よりも長く形成することを特徴とするレンズ装置を提供する。
【００２３】
本発明によれば、第１溝に係合するカムピンの長さを、交差部における第２溝の幅よりも長く形成することにより、第１溝に係合するカムピンが第２溝に入り込むのを防止できる。
【発明の効果】
【００２４】
以上説明したように、本発明によれば、カム溝と直進溝とを交差させて筒体の内周面に形成する。これにより、直進溝に関係なく、自由にカム溝の傾斜を設定することができるので、各筒体を安定的に動作させることができるとともに、レンズ装置を可能な限り小型化できる。すなわち、直進溝は、光軸と平行に形成されているため、カム溝とどの位置で交差させても筒体の径には何ら影響を及ぼすことがない。このため、最も交差角度が大きくなる位置でカム溝と直進溝とを交差させることができる。この結果、筒体を安定動作を確保しつつ、可能な限り筒体の径の小型化が図れる。
【発明を実施するための最良の形態】
【００２５】
以下、添付図面に従って本発明に係るレンズ装置の好ましい実施の形態について詳説する。
【００２６】
図１は、本発明に係るレンズ装置が適用される電子スチルカメラの外観構成を示す斜視図である。
【００２７】
同図に示すように、この電子スチルカメラ１は、そのカメラ本体が矩形の箱型に形成されており、その正面部にはレンズ装置２、ファインダ窓３、ストロボ調光センサ４、セルフタイマーランプ５などが配設されている。また、その上面部にはポップアップ式のストロボ６や、レリーズスイッチ７などが配設され、その背面部には、図示しないファインダ接眼部や液晶表示パネル、操作キーなどが配設されている。この電子スチルカメラ１は沈胴式であり、レンズ装置２は使用時にのみ、そのレンズ鏡筒がカメラ本体から繰り出され、カメラ本体の正面部から突出する。
【００２８】
図２は、上記の電子スチルカメラ１に適用されるレンズ装置２の分解斜視図である。また、図３〜図５は、それぞれ上記の電子スチルカメラ１に適用されるレンズ装置２の側面断面図である。なお、図３は、レンズ装置２が沈胴位置の状態のときを示しており、図４と図５とは、それぞれレンズ装置２がテレ位置の状態のときとワイド位置の状態のときとを示している。
【００２９】
図２〜図５に示すように、このレンズ装置２は、第１レンズ１１、第２レンズ１２、第１レンズ筒１３、第２レンズ筒１４、移動筒１５、固定筒１６及び回転筒１７で構成されている。
【００３０】
回転筒１７は、その外周面にギヤ部１８が形成されている。このギヤ部１８にはズームモータ１９の駆動が伝達される。回転筒１７は、このギヤ部１８にズームモータ１９の駆動が伝達されることにより、固定筒１６の外周に接しながら回動される。
【００３１】
ここで、レンズ装置２は、この回転筒１７が『初期位置』から『中間位置』までの『収納回転域』で回転することで、その状態が図３に示す沈胴位置の状態から図４に示すテレ位置の状態に変更され、また、回転筒１７が、『中間位置』から『終端位置』までの『変倍回転域』で回転することで、その状態が図４に示すテレ位置の状態から図５に示すワイド位置の状態に変更される。
【００３２】
また、この回転筒１７の内周面には、第２レンズ筒１４を光軸２０に沿って移動させるための第２レンズ用カム溝２１と、移動筒１５を光軸２０に沿ってガイドするための移動筒用直進溝２２とが、それぞれ光軸２０の回りの３分割位置に形成されている。
【００３３】
固定筒１６には、第２レンズ筒１４を光軸２０に沿って直進的にガイドするための第２レンズ用直進孔２３と、移動筒１５を光軸２０に沿って移動させるための移動筒用カム孔２４とが、それぞれ光軸２０の回りの３分割位置に形成されている。
【００３４】
移動筒１５の外周面には、移動筒用カムピン２５が光軸２０の回りの３分割位置に設けられている。この移動筒用カムピン２５は、固定筒１６に形成された移動筒用カム孔２４と、回転筒１７に形成された移動筒用直進溝２２とに係合されている。
【００３５】
また、この移動筒１５の内周面には、第１レンズ筒１３を光軸２０に沿って移動させるための第１レンズ用カム溝２６が、光軸２０の回りの３分割位置に形成されている。
【００３６】
第１レンズ筒１３は、その前端内周部に第１レンズ１１を保持している。この第１レンズ筒１３の内周面には、光軸２０に沿って一対の直進ガイド溝２７が所定の間隔をもって形成されている。この直進ガイド溝２７には、第２レンズ筒１４のアーム３８に形成された直進ガイド突起３０が係合されている。
【００３７】
また、この第１レンズ筒１３の外周面には、第１レンズ用カムピン２８が、光軸２０の回りの３分割位置に設けられている。この第１レンズ用カムピン２８は、移動筒１５の内周面に形成された第１レンズ用カム溝２６に係合されている。
【００３８】
第２レンズ筒１４の外周面には、第２レンズ用カムピン２９が光軸２０の回りの３分割位置に設けられている。この第２レンズ用カムピン２９は、回転筒１７の内周面に形成された第２レンズ用カム溝２１と、固定筒１６に形成された第２レンズ用直進孔２３とに係合されている。
【００３９】
また、この第２レンズ筒１４の後端部には、固定筒１６の後端部との間に一対のバネ３７が掛けられている。このバネ３７は、光軸２０の回りの２分割位置に設けられており、第２レンズ筒１４を結像面側に向けて付勢する。
【００４０】
また、この第２レンズ筒１４の前端部には、一対のアーム３８が所定の間隔をもって一体的に形成されている。このアーム３８は、第２レンズ筒１４の前端から細幅で被写体側に延びた形状となっており、その前端外周部には直進ガイド突起３０が一体的に形成されている。この直進ガイド突起３０は、第１レンズ筒１３の内周面に形成された直進ガイド溝２７に係合されており、その両壁面３０ａ、３０ｂは、直進ガイド溝２７の両壁面２７ａ、２７ｂに当接されている。第１レンズ筒１３は、この直進ガイド突起３０と直進ガイド溝２７によって、その回転が止められた状態で第２レンズ筒１４に対して光軸方向に直進的にガイドされる。
【００４１】
ここで、この第２レンズ筒１４は、プラスチック等の弾性変形可能な材料で成形されており、各アーム３８は、その前端が径方向の外側に向けて広がった状態で形成されている。このため、直進ガイド突起３０が直進ガイド溝２７に係合すると、直進ガイド突起３０の先端部３０ｃが直進ガイド溝２７の底部２７ｃを押圧するようになる。これにより、第１レンズ筒１３が第２レンズ筒１４に対して互いに傾かないように支持される。
【００４２】
また、直進ガイド突起３０は、摺動時の抵抗を低減させるため、その先端面３０ｃが半球状に形成されている。すなわち、その光軸２０に沿った断面と、光軸２０と直交する断面とが、それぞれ円弧状に形成されている。これにより、第１レンズ筒１３と第２レンズ筒１４との相対的な移動がスムーズになるとともに、回転筒１７の回転負荷が低減される。
【００４３】
第２レンズ１２は、図３〜図５に示すように、第２レンズ筒１４内を光軸２０に沿って移動自在に設けられた第２レンズ枠３３に保持されている。この第２レンズ枠３３は、送りネジ３１とガイド棒３２とによって第２レンズ筒１４内を光軸２０に沿って移動自在に設けられている。送りネジ３１には、フォーカスモータ３４が連結されており、このフォーカスモータ３４を駆動することにより、第２レンズ１２が送りネジ３１のリードに従って光軸方向に移動する。
【００４４】
なお、この第２レンズ１２の移動は、第２レンズ筒１４に対して結像面１０ａ側に最も寄った『原点位置』と、この原点位置から被写体側に離れた位置との間で行われる。また、変倍時、第２レンズ１２は『原点位置』に位置する。
【００４５】
図７は、移動筒１５に設けられた第１レンズ用カム溝２６の構成を示す展開図である。
【００４６】
第１レンズ用カム溝２６には、第１レンズ筒１３に設けられた第１レンズ用カムピン２８が係合される。この第１レンズ用カム溝２６は、第１レンズ収納準備案内部４２、第１レンズ移動阻止部４３及び第１レンズ変倍案内部４４から構成されている。
【００４７】
第１レンズ収納準備案内部４２は、回転筒１７が『初期位置』から『回転位置Ａ』までの回転域で回転したときに、第１レンズ用カムピン２８が摺動する範囲である。この第１レンズ収納準備案内部４２は、移動筒１５に対して第１レンズ筒１３を結像面側に退避させた『退避位置』と、被写体側に僅かに突出した『収納準備位置』との間で移動させる。なお、レンズ装置２が沈胴位置の状態のときには、第１レンズ筒１３は『退避位置』に位置する。
【００４８】
第１レンズ移動阻止部４３は、回転筒１７が『回転位置Ａ』から『中間位置』までの回転域で回転したときに、第１レンズ用カムピン２８が摺動する範囲である。この第１レンズ移動阻止部４３は、移動筒１５の回転を許容しつつ、第１レンズ筒１３が『収納準備位置』から光軸方向に移動しないように、移動筒１５の光軸回りの方向に沿って形成されている。これにより、レンズ装置２が沈胴位置からテレ位置の状態になるまでの間、第１レンズ筒１３が『収納準備位置』に維持される。
【００４９】
第１レンズ変倍案内部４４は、回転筒１７が『中間位置』から『終端位置』までの『変倍回転域』で回転したときに、第１レンズ用カムピン２８が摺動する範囲である。この第１レンズ変倍案内部４４は、焦点距離を変更するために第１レンズ筒１３を光軸２０に沿って移動させる形状となっている。
【００５０】
なお、前述した第１レンズ収納準備案内部４２は必ずしも必要はなく、これを省略して回転筒１７の『収納回転域』に応じた移動筒１５の回転域の全部を第１レンズ移動阻止部４３としてもよい。
【００５１】
図８は、固定筒１６に設けられた移動筒用カム孔２４と第２レンズ用直進孔２３との構成を示す展開図である。
【００５２】
まず、移動筒用カム孔２４の構成について説明する。移動筒用カム孔２４には、移動筒１５に設けられた移動筒用カムピン２５のカム孔係合部２５Ａが係合する。この移動筒用カム孔２４は、移動筒収納案内部４０と移動筒移動阻止部４１とから構成されている。
【００５３】
移動筒収納案内部４０は、回転筒１７が『初期位置』から『中間位置』までの『収納回転域』で回転したときに、移動筒用カムピン２５が摺動する範囲である。この移動筒収納案内部４０は、移動筒１５を固定筒１６に対して結像面１０ａ側に退避させた『退避位置』と、被写体側に繰り出させた『突出位置』との間で光軸２０に沿って移動させる。なお、レンズ装置２が沈胴位置の状態のときには、移動筒１５は『退避位置』に位置する。
【００５４】
移動筒移動阻止部４１は、回転筒１７が『中間位置』から『終端位置』までの『変倍回転域』で回転したときに、移動筒用カムピン２５が摺動する範囲である。この移動筒移動阻止部４１は、移動筒１５の光軸回りの回転を許容しつつ、移動筒１５の光軸方向の移動を阻止するように、光軸２０の回りの方向に沿って形成されている。これにより、レンズ装置２がテレ位置とワイド位置との間で変倍される間、移動筒１５が『突出位置』に維持されるようになる。
【００５５】
次に、第２レンズ用直進孔２３の構成について説明する。第２レンズ用直進孔２３には、第２レンズ筒１４の外周面に設けられた第２レンズ用カムピン２９の直進孔係合部５４が係合する。この第２レンズ用直進孔２３は、光軸２０に沿って形成されており、その前端部は移動筒用カム孔２４の移動筒移動阻止部４１に連通されている。
【００５６】
ところで、この第２レンズ用直進孔２３が形成されている固定筒１６は、プラスチック等の弾性変形可能な材料で成形されている。このような弾性変形可能な材料で形成された固定筒１６に対して、第２レンズ用直進孔２３と移動筒用カム孔２４とを互いに連通して形成すると、第２レンズ用直進孔２３は幅方向に拡縮自在に形成される。
【００５７】
そして、このように幅方向に拡縮自在に形成された第２レンズ用直進孔２３に対して、その幅Ａを第２レンズ用カムピン２９の直進孔係合部５４の幅Ｂ（図１１参照）よりもやや小さく形成すると、第２レンズ用直進孔２３は、その両縁部で係合された第２レンズ用カムピン２９の直進孔係合部５４を両側から挟み込むように作用する。これにより、係合された第２レンズ用カムピン２９の直進孔係合部５４と第２レンズ用直進孔２３との間にアソビがなくなり、精度よく第２レンズ筒１４を直進ガイドすることができるようになる。
【００５８】
一方、このように第２レンズ用直進孔２３を移動筒用カム孔２４に連通して形成すると、移動筒用カム孔２４に係合された移動筒用カムピン２５のカム孔係合部２５Ａが、移動筒移動阻止部４１を摺動中に第２レンズ用直進孔２３に入り込む、あるいは、その連通部に引っ掛かるおそれがある。
【００５９】
そこで、移動筒用カムピン２５は、次のように構成されて、第２レンズ用直進孔２３への入り込み又は引っ掛かりが防止されている。
【００６０】
図９、図１０は、それぞれ移動筒用カムピン２５の構成を示す平面図と側面図である。同図に示すように、移動筒用カムピン２５は、カム孔係合部２５Ａ、ガイド溝係合部２５Ｂ及び直進溝係合部２５Ｃから構成されている。
【００６１】
カム孔係合部２５Ａは、円柱状に形成されており、固定筒１６に設けられた移動筒用カム孔２４に係合する。
【００６２】
ガイド溝係合部２５Ｂは、カム孔係合部２５Ａの頂部に一体成形されており、台形の板状に形成されている。このガイド溝係合部２５Ｂは、固定筒１６の外周面上に形成されたガイド溝４９に係合する。ガイド溝４９は、移動筒用カム孔２４の縁部に沿って形成されており、このガイド溝４９にガイド溝係合部２５Ｂが係合されることによって、移動筒用カムピン２５が第２レンズ用直進孔２３に入り込むのが又は引っ掛かるのが防止される。すなわち、このガイド溝係合部２５Ｂは、その光軸回りの方向の幅Ｃが、第２レンズ用直進孔２３の幅Ａよりも大きく形成されているため、このガイド溝係合部２５Ｂが障害となって、移動筒用カムピン２５が第２レンズ用直進孔２３に入り込むのが又は引っ掛かるのが防止される。
【００６３】
また、このガイド溝係合部２５Ｂは、その光軸方向の幅Ｄが移動筒用カム孔２４の幅Ｅよりも大きく形成されている。これにより、移動筒用カムピン２５が移動筒用カム孔２４から抜け出ることが阻止される。
【００６４】
直進溝係合部２５Ｃは、ガイド溝係合部２５Ｂの上面に一体形成されており、細長い円形の板状に形成されている。この直進溝係合部２５Ｃは、回転筒１７に形成された移動筒用直進溝２２に係合する。なお、この直進溝係合部２５Ｃが、細長い円形状に形成されていることの作用については、後に詳述する。
【００６５】
図１１は、第２レンズ筒１４に設けられた第２レンズ用カムピン２９の構成を示す正面図である。同図に示すように、第２レンズ用カムピン２９は、直進孔係合部５４とカム溝係合部５５とから構成されている。
【００６６】
直進孔係合部５４は、円柱状に形成されており、固定筒１６に形成された第２レンズ用直進孔２３に係合する。
【００６７】
一方、カム溝係合部５５は、回転筒１７の内周面に形成された第２レンズ用カム溝２１に係合し、収納係合部５５ａと変倍係合部５５ｂとから構成されている。
【００６８】
収納係合部５５ａは、直進孔係合部５４の頂部同軸上に一体成形されており、断面円錐台形状に形成されている。この収納係合部５５ａは、第２レンズ用カム溝２１の第２レンズ収納案内部５８に係合する。なお、この収納係合部５５ａの底面は、第２レンズ用直進孔２３の外径よりも大径に形成されており、直進孔係合部５４が第２レンズ用直進孔２３に係合すると、固定筒１６の外周面に当接する。これにより、第２レンズ用カムピン２９が、第２レンズ用直進孔２３から抜け出ることが阻止される。
【００６９】
一方、変倍係合部５５ｂは、収納係合部５５ａの頂部同軸上に一体成形されており、収納係合部５５ａよりも小径の断面円錐台形状に形成されている。この変倍係合部５５ｂは、第２レンズ用カム溝２１の第２レンズ変倍案内部５６と第２レンズ方向転換案内部５７とに係合する。
【００７０】
図１２は、回転筒１７の内周面に形成された第２レンズ用カム溝２１と移動筒用直進溝２２の構成を示す展開図である。
【００７１】
まず、第２レンズ用カム溝２１の構成について説明する。第２レンズ用カム溝２１には、第２レンズ筒１４の外周面に設けられた第２レンズ用カムピン２９のカム溝係合部５５が係合する。この第２レンズ用カム溝２１は、焦点距離を変更するために第２レンズ１２を光軸２０に沿って移動させる第２レンズ変倍案内部５６（変倍領域）と、第２レンズ１２の移動方向を転換する第２レンズ方向転換案内部５７と、第２レンズ１２を『収納位置Ｃ』に移動させる第２レンズ収納案内部５８（収納領域）とから構成されている。
【００７２】
第２レンズ変倍案内部５６は、『中間位置』から『終端位置』までの『変倍回転域』で、回転筒１７を『終端位置』に向けて回転させたときに、第２レンズ筒１４が結像面１０ａ側に向かって繰り込むように案内する曲線状のカム軌跡となっている。
【００７３】
第２レンズ方向転換案内部５７は、『回転位置Ｂ』から『中間位置』までの回転域で、回転筒１７を『中間位置』に向けて回転させたときに、第２レンズ筒１４の移動方向が転換するように、すなわち、被写体側に向かって移動していた第２レンズ筒１４が、方向転換して結像面１０ａ側に向かって繰り込むように案内する湾曲状の軌跡となっている。
【００７４】
第２レンズ収納案内部５８は、『初期位置』から『回転位置Ｂ』までの回転域で、回転筒１７を『回転位置Ｂ』に向けて回転させたときに、第２レンズ筒１４が、被写体側に向かって繰り出すように案内する直線状の軌跡となっている。
【００７５】
ここで、上述したように、第２レンズ変倍案内部５６と第２レンズ方向転換案内部５７とには、カム溝係合部５５の変倍係合部５５ｂが係合し、第２レンズ収納案内部５８には、収納係合部５５ａが係合する。
【００７６】
このため、第２レンズ変倍案内部５６は、図１３に示すように、その両側面に第１テーパ面５６ａと第２テーパ面５６ｂの２つのテーパ面が形成されており、変倍係合部５５ｂのみが第２テーパ面５６ｂに当接するように形成されている（収納係合部５５ａの両側面は第１テーパ面５６ａには当接しない。）。
【００７７】
より具体的には、第２レンズ変倍案内部５６の第２テーパ面５６ｂは、その傾斜角度がカム溝係合部５５の変倍係合部５５ｂの両側面と同じ傾斜角度で形成されるとともに、その下端部の幅Ｆが変倍係合部５５ｂの底部の幅Ｇと同じ幅をもって形成されている。一方、第２レンズ変倍案内部５６の第１テーパ面５６ａは、その傾斜角度がカム溝係合部５５の収納係合部５５ａの両側面と同じ傾斜角度で形成されるが、その下端部の幅Ｈが収納係合部５５ａの底部の幅Ｉよりも大きな幅をもって形成されている。したがって、この第２レンズ変倍案内部５６では、カム溝係合部５５は、先端の変倍係合部５５ｂのみが第２テーパ面５６ｂに当接する（収納係合部５５ａと第１テーパ面５６ａとの間には、所定の隙間が形成されて、互いに当接しない。）。
【００７８】
第２レンズ方向転換案内部５７も第２レンズ変倍案内部５６と同じ構成である。すなわち、その両側面に第１テーパ面と第２テーパ面とが形成されており、カム溝係合部５５は、先端の変倍係合部５５ｂのみが第２レンズ方向転換案内部５７の両側面に当接する（収納係合部５５ａと第２レンズ方向転換案内部５７の両側面との間には、所定の隙間が形成されて互いに当接しない。）。
【００７９】
一方、第２レンズ収納案内部５８は、図１４に示すように、その両側面５８ａにテーパが形成されており、カム溝係合部５５は収納係合部５５ａの両側面のみが、その両側面５８ａに当接するように形成されている（変倍係合部５５ｂの両側面５８ａには当接しない。）。より具体的には、第２レンズ収納案内部５８の両側面５８ａは、その傾斜角度がカム溝係合部５５の収納係合部５５ａの両側面と同じ傾斜角度で形成されるとともに、その開口部の幅Ｊが収納係合部５５ａの底部の幅Ｉと同じ幅で形成されている。したがって、この第２レンズ収納案内部５８では、カム溝係合部５５は、基端部の収納係合部５５ａのみが第２レンズ収納案内部５８の両側面５８ａに当接する（変倍係合部５５ｂと第２レンズ収納案内部５８の両側面５８ａとの間には、所定の隙間が形成されて互いに当接しない。）。
【００８０】
前記のごとく構成された第２レンズ用カム溝２１によれば、回転筒１７を『初期位置』から『回転位置Ｂ』に向けて回転させると、第２レンズ用カムピン２９のカム溝係合部５５は第２レンズ収納案内部５８を摺動して、第２レンズ筒１４を被写体側に向けて繰り出す。この際、カム溝係合部５５は、その収納係合部５５ａが第２レンズ収納案内部５８の両側面５８ａに当接して摺動する（変倍係合部５５ｂは当接せず。）。
【００８１】
また、回転筒１７を『回転位置Ｂ』から『中間位置』に向けて回転させると、第２レンズ用カムピン２９のカム溝係合部５５は、第２レンズ方向転換案内部５７を摺動して、第２レンズ筒１４の移動方向を転換する。すなわち、第２レンズ筒１４を被写体側から結像面１０ａ側に向けて移動させる。この際、カム溝係合部５５は、その変倍係合部５５ｂが第２レンズ方向転換案内部５７に当接して摺動する（収納係合部５５ａは当接せず。）。
【００８２】
さらに、回転筒１７を『中間位置』から『終端位置』に向けて回転させると、第２レンズ用カムピン２９のカム溝係合部５５は、第２レンズ変倍案内部５６を摺動して、第２レンズ筒１４を結像面１０ａ側に向けて繰り込む方向に移動させる。この際、カム溝係合部５５は、その変倍係合部５５ｂが第２レンズ変倍案内部５６の第２テーパ面５６ｂに当接して摺動する（収納係合部５５ａは当接せず。）。
【００８３】
このように、第２レンズ用カムピン２９のカム溝係合部５５を２段構造とするとともに、第２レンズ用カム溝２１を２段構造とすることにより、第２レンズ変倍案内部５６と第２レンズ収納案内部５８とにおいて当接部分を変えることができるようになり、この結果、カムピンの磨耗を効果的に抑制することができる。
【００８４】
また、第２レンズ変倍案内部５６は、撮影時に第２レンズ筒１４を正確に動作させる必要があることから、その製作に際して精度が要求されるのに対して、第２レンズ収納案内部５８は、撮影には影響がないため、第２レンズ変倍案内部５６ほどの精度は要求されない。したがって、上記のようにカム溝係合部５５と第２レンズ用カム溝２１とを２段構造とすることにより、第２レンズ変倍案内部５６のみを高精度に製作すればよくなり（第２レンズ収納案内部５８はラフな製作でよい）、生産性が向上するとともに、製作コストの低減を図れる。
【００８５】
さらに、第２レンズ方向転換案内部５７におけるカム溝係合部５５の移動軌跡は、被写体側に凸の湾曲状となるが、この際、図１３に示すように、変倍係合部５５ｂは、収納係合部５５ａよりも小径に形成されている分だけ、その移動軌跡のうち最も結像面側を通る移動軌跡の曲率半径Ｒb が、収納係合部５５ａの移動軌跡のうち最も結像面側を通る移動軌跡の曲率半径Ｒa よりも大きくなる。このように、第２レンズ筒１４の移動方向を変更する第２レンズ方向転換案内部５７では、曲率半径の大きい変倍係合部５５ｂが係合するから、第２レンズ筒１４をスムーズに移動させることができる。
【００８６】
次に、移動筒用直進溝２２の構成について説明する。移動筒用直進溝２２には、移動筒用カムピン２５の直進溝係合部２５Ｃが係合する。この移動筒用直進溝２２は、図１２に示すように、光軸２０に沿って形成されており、第２レンズ用カム溝２１の第２レンズ変倍案内部５６で交差している。
【００８７】
ここで、図１５に示すように、移動筒用直進溝２２は、その深さＫが第２レンズ用カム溝２１の深さＬよりも浅く形成されている。これにより、第２レンズ用カム溝２１の第２レンズ変倍案内部５６を摺動する第２レンズ用カムピン２９のカム溝係合部５５が、移動筒用直進溝２２に入り込むのが防止される。
【００８８】
一方、前述したように、移動筒用直進溝２２に係合する移動筒用カムピン２５の直進溝係合部２５Ｃは、細長い円形の板状に形成されている。この直進溝係合部２５Ｃの長さＭは、移動筒用直進溝２２と第２レンズ用カム溝２１との交差部の長さＮよりも長く形成されている。これにより、移動筒用直進溝２２を摺動する移動筒用カムピン２５の直進溝係合部２５Ｃが第２レンズ用カム溝２１内に入り込む、あるいは、交差部に引っ掛かるのが防止される。
【００８９】
前記のごとく構成された本実施の形態のレンズ装置２の作用は次のとおりである。
【００９０】
まず、回転筒１７を回転させた場合における、移動筒１５、第１レンズ筒１３及び第２レンズ筒１４の基本動作について説明する。
【００９１】
レンズ装置２が沈胴位置の状態のとき、図３に示すように、移動筒１５と第１レンズ筒１３とは、それぞれ固定筒１６の内部に収納されている。
【００９２】
ズームモータ１９を駆動して、回転筒１７を『初期位置』から『終端位置』に向けて回転させると、その回転筒１７の回転が移動筒用直進溝２２を介して移動筒用カムピン２５に伝達される。これにより、移動筒１５が回転筒１７に連動して回転する。
【００９３】
ここで、移動筒１５は、その外周部に設けられた移動筒用カムピン２５が、回転筒１７に形成された移動筒用直進溝２２と、固定筒１６に形成された移動筒用カム孔２４とに係合されているため、回転すると、固定筒１６に対して回転しながら光軸方向に移動する。
【００９４】
一方、第１レンズ筒１３は、その外周部に設けられた第１レンズ用カムピン２８が、移動筒１５に形成された第１レンズ用カム溝２６に係合されるとともに、その内周面に形成された直進ガイド溝２７が、第２レンズ筒１４に形成された直進ガイド突起３０に係合されているため、移動筒１５が回転すると、その移動筒１６に対して光軸２０に沿って直進的に移動する。
【００９５】
また、第２レンズ筒１４は、その外周部に設けられた第２レンズ用カムピン２９が、回転筒１７の内周面に形成された第２レンズ用カム溝２１と、固定筒１６に形成された第２レンズ用直進孔２３とに係合しているため、回転筒１７が回転すると、これに連動して光軸２０に沿って直進的に移動する。
【００９６】
次に、回転筒１７を回転させた場合における、第１レンズ筒１３、第２レンズ筒１４及び移動筒１５等の移動軌跡について説明する。
【００９７】
図１６は、第１レンズ筒１３、第２レンズ筒１４及び移動筒１５等の移動軌跡を示した説明図である。
【００９８】
なお、同図において、太線（Ｅ）は、第１レンズ筒１３の移動軌跡を表しており、太線（Ｆ）は、第２レンズ筒１４の移動軌跡を表している。また、細線（Ｇ）は、移動筒１５に対する第１レンズ筒１３の移動軌跡を表しており、細線（Ｊ）は、移動筒１５の移動軌跡を表している。
【００９９】
同図に示すように、レンズ装置２が沈胴位置の状態のとき、移動筒１５は、『退避位置Ｋ』に位置する。また、第２レンズ筒１４は、結像面側に最も寄った『収納位置Ｃ』に位置し、第１レンズ筒１３は、第２レンズ筒１４に接近した『収納位置Ｄ』に位置している（なお、第１レンズ筒１３は、移動筒１５に対して『退避位置Ｈ』に位置している）。
【０１００】
まず、回転筒１７が『初期位置』から『中間位置』まで回転した場合における、第１レンズ筒１３と移動筒１５の移動軌跡について説明する。
【０１０１】
回転筒１７が『初期位置』から『回転位置Ａ』まで回転する間、第１レンズ筒１３は、その外周部に設けられた第１レンズ用カムピン２８が、第１レンズ用カム溝２６の第１レンズ収納準備案内部４２を摺動する。これにより、第１レンズ筒１３は、移動筒１５に対して細線（Ｇ）で表す移動軌跡のうちの『退避位置Ｈ』から『収納準備位置Ｉ』に繰り出される。
【０１０２】
また、回転筒１７が『回転位置Ａ』から『中間位置』まで回転する間、第１レンズ筒１３は、その外周部に設けられた第１レンズ用カムピン２８が、第１レンズ用カム溝２６の第１レンズ移動阻止部４３を摺動する。これにより、第１レンズ筒１３は、移動筒１５に対する光軸方向の移動が阻止される。したがって、第１レンズ筒１３は、この間、移動筒１５に対して光軸方向の移動がないので、移動筒１５に対して細線（Ｇ）で表す移動軌跡のうちの『収納準備位置Ｉ』に維持される。
【０１０３】
一方、移動筒１５は、回転筒１７が『初期位置』から『中間位置』まで回転する間、その外周部に設けられた移動筒用カムピン２５が、移動筒用カム孔２４の移動筒収納案内部４０を摺動する。これにより、移動筒１５は、細線（Ｊ）で表す移動軌跡のうちの『退避位置Ｋ』から『突出位置Ｌ』に繰り出される。
【０１０４】
ここで、前記第１レンズ筒１３は、移動筒１５に支持されている。したがって、回転筒１７が『初期位置』から『中間位置』まで回転する間、第１レンズ筒１３は、移動筒１５の繰り出し分と、その移動筒１５に対する第１レンズ筒１３の繰り出し分とを加えた分だけ光軸２０に沿って移動する。すなわち、第１レンズ筒１３は、回転筒１７が『初期位置』から『回転位置Ａ』まで回転すると、太線（Ｅ）で表す移動軌跡のうちの『収納位置Ｄ』から『位置Ｍ』に繰り出され、回転筒１７が『回転位置Ａ』から『中間位置』まで回転すると、太線（Ｅ）で表す移動軌跡のうちの『位置Ｍ』から『位置Ｏ』に繰り出される。
【０１０５】
次に、回転筒１７が『初期位置』から『中間位置』まで回転した場合における、第２レンズ筒１４の移動軌跡について説明する。
【０１０６】
回転筒１７が『初期位置』から『回転位置Ｂ』まで回転する間、第２レンズ筒１４は、その外周部に設けられた第２レンズ用カムピン２９が、第２レンズ用カム溝２１の第２レンズ収納用案内部５８を摺動する。この際、第２レンズ用カムピン２９は、そのカム溝係合部５５の収納係合部５５ａが第２レンズ収納用案内部５８に係合して摺動する。これにより、第２レンズ筒１４は、太線（Ｆ）で表す移動軌跡のうちの『退避位置Ｃ』から『位置Ｐ』に繰り出される。
【０１０７】
また、回転筒１７が『回転位置Ｂ』から『中間位置』まで回転する間、第２レンズ筒１４は、その外周部に設けられた第２レンズ用カムピン２９が、第２レンズ用カム溝２１の第２レンズ方向転換案内部５７を摺動する。この際、第２レンズ用カムピン２９は、そのカム溝係合部５５の収納係合部５５ａの係合が解除され、変倍係合部５５ｂが第２レンズ方向転換案内部５７に係合して摺動する。これにより、第２レンズ筒１４は、太線（Ｆ）で表す移動軌跡のうちの『位置Ｐ』から『位置Ｎ』に繰り出される。
【０１０８】
ここで、この第２レンズ方向転換案内部５７に係合する変倍係合部５５ｂは、第２レンズ収納用案内部５８に係合する収納係合部５５ａよりも小径に形成されていることから、その移動軌跡の曲率半径（移動軌跡のうち最も結像面側を通る移動軌跡の曲率半径）が、収納係合部５５ａの移動軌跡の曲率半径（移動軌跡のうち最も結像面側を通る移動軌跡の曲率半径）よりも大きくなる。このように、第２レンズ用カムピン２９は、第２レンズ筒１４の移動方向を変更する第２レンズ方向転換案内部５７において、曲率半径の大きい変倍係合部５５ｂが係合して摺動することから、第２レンズ筒１４をスムーズに移動させることができる。また、これにより回転筒１７の回転負荷も減少させることができる。
【０１０９】
以上のように、回転筒１７が『中間位置』に回転すると、図４に示すように、レンズ装置２はテレ位置の状態となる。この状態において、移動筒１５は『突出位置Ｌ』に位置する。そして、第１レンズ筒１３は『位置Ｏ』に位置し、第２レンズ筒１４は『位置Ｎ』に位置する。
【０１１０】
レンズ装置２がテレ位置の状態となった後は、回転筒１７は『変倍回転域』で回転される。
【０１１１】
移動筒１５は、回転筒１７が『変倍回転域』で回転する間、その外周部に設けられた移動筒用カムピン２５が、移動筒用カム孔２４の移動筒移動阻止部４１を摺動する。このため、移動筒１５は、固定筒１６に対する光軸方向の移動が阻止される。したがって、移動筒１５は、この間、光軸方向の移動がないから、細線（Ｊ）で表す移動軌跡のうちの『突出位置Ｌ』に維持される。
【０１１２】
また、第１レンズ筒１３は、回転筒１７が『変倍回転域』で回転する間、その外周部に設けられた第１レンズ筒用カムピン２８が第１レンズ用カム溝２６の第１レンズ変倍案内部４４を摺動する。このため、第１レンズ筒１３は、第１レンズ変倍案内部４４の光軸方向での変位に応じた分だけ移動筒１５に対して光軸２０に沿って移動する。
【０１１３】
また、第２レンズ筒１４は、回転筒１７が『変倍回転域』で回転する間、その外周部に設けられた第２レンズ用カムピン２９が、第２レンズ用カム溝２１の第２レンズ変倍案内部５６を摺動する。このため、第２レンズ筒１４は、その第２レンズ変倍案内部５６の光軸方向での変位に応じて移動される。この際、第２レンズ用カムピン２９は、そのカム溝係合部５５の変倍係合部５５ｂが第２レンズ変倍案内部５６に係合して摺動する。
【０１１４】
なお、変倍時、第１レンズ筒１３と第２レンズ筒１４とは、これらの間隔が異なるように互いに光軸２０に沿って移動される。この間、第２レンズ筒１４は、バネ３７の光軸方向への付勢によって、第２レンズ用カムピン２９と第２レンズ用カム溝２１とのガタが吸収され、かつ、固定筒１６に対する傾きも補正される。一方、第１レンズ筒１３は、直進ガイド突起３０によって直進ガイド溝２７内が径方向に押圧されることから、変倍中に第１レンズ１１の光軸が第２レンズ１２の光軸に対して傾くことが極力抑制される。
【０１１５】
この際、直進ガイド突起３０による径方向への付勢は、第２レンズ筒１４の移動位置に関わらず一方である。このため、常に第１レンズ筒１３と第２レンズ筒１４とをスムーズに移動させることができる。
【０１１６】
また、直進ガイド突起３０は、その先端面３０ｃが球状に形成されているため、直進ガイド溝２７の底部と点で接触する。これにより、摺動時の抵抗を極力低減させることができる。
【０１１７】
本実施の形態のレンズ装置２の作用は以上のとおりである。ところで、本実施の形態のレンズ装置２では、回転筒１７の内周面に形成された第２レンズ用カム溝２１と移動筒用直進溝２２とが交差して形成されている。このように、第２レンズ用カム溝２１と移動筒用直進溝２２とを交差して形成することにより、第２レンズ用カム溝２１の傾斜を緩やかに設定することができ、これにより、第２レンズ筒１４を安定的に動作させることができる。
【０１１８】
すなわち、従来は、第２レンズ用カム溝２１と移動筒用直進溝２２とが互いに交差しないように形成したため、第２レンズ用カム溝２１の傾斜を急に設定せざるを得なかったが、本実施の形態のように、第２レンズ用カム溝２１と移動筒用直進溝２２とを交差して形成することにより、移動筒用直進溝２２の有無に係わらず、第２レンズ用カム溝２１の傾斜を自由に設定することができるようになる。これにより、第２レンズ筒１４を安定的に動作させることができる。また、回転筒１７の回転負荷も減少させることができる。
【０１１９】
また、このように第２レンズ用カム溝２１の傾斜を自由に設定することができることから、第２レンズ筒１４の安定的な動作を確保しつつ、可能な限り回転筒１７の小型化を図ることもできる。
【０１２０】
一方、本実施の形態のように、第２レンズ用カム溝２１と移動筒用直進溝２２とを交差して形成すると、第２レンズ用カム溝２１に係合する第２レンズ用カムピン２９が移動筒用直進溝２２に入り込む、あるいは、移動筒用直進溝２２に係合する移動筒用カムピン２５が、第２レンズ用カム溝２１に入り込むおそれがあるが、第２レンズ用カム溝２１の深さＬを移動筒用直進溝２２の深さＫよりも深く形成することにより、第２レンズ用カムピン２９が移動筒用直進溝２２に入り込むのを防止できる。また、移動筒用カムピン２５が第２レンズ用カム溝２１内に入り込むのを防止するのは、移動筒用直進溝２２に係合する移動筒用カムピン２５の直進溝係合部２５Ｃを細長い円形状（交差部の長さＮよりも長い円形状）とすることにより防止できる。
【０１２１】
なお、本実施の形態では、第２レンズ用カム溝２１と移動筒用直進溝２２とが、それぞれ光軸２０の回りの３分割位置に形成されているが、このように、第２レンズ用カム溝２１と移動筒用直進溝２２と光軸２０の回りの３分割位置に形成すると、３本ある第２レンズ用カムピン２９と移動筒用カムピン２５とが、それぞれ同時に第２レンズ用カム溝２１と移動筒用直進溝２２との交差部を通過するようになる。この場合、第２レンズ用カム溝２１と移動筒用直進溝２２と交差部において、各カムピンに引っ掛かりが生じて作動不良を起こすおそれがある。
【０１２２】
そこで、第２レンズ用カム溝２１と移動筒用直進溝２２のいずれか一方又は双方を光軸回りに不等間隔で形成し、各第２レンズ用カムピン２９及び各移動筒用カムピン２５が、交差部を通過するタイミングをずらす。これにより、３本のカムピンが同時に交差部を通過して、交差部に引っ掛かりが生じるのを効果的に防止できる。
【０１２３】
たとえば、図１７に示すように、第２レンズ用カム溝２１を１２０°−１２０°−１２０°の等間隔で形成し、移動筒用直進溝２２を１１７°−１１７°−１２６°の不等間隔で形成する。このように形成することにより、図１８に示すように、各交差部の位置が光軸方向にγズレ、各第２レンズ用カムピン２９が及び各移動筒用カムピン２５が交差部を通過するタイミングをずらすことができる。これにより、作動不良を生じることなく、スムーズに第２レンズ筒１４及び移動筒１５を移動させることができる。
【０１２４】
なお、上記の例では、移動筒用直進溝２２を１１７°−１１７°−１２６°の不等間隔で形成しているが、移動筒用直進溝２２を１２０°−１２０°−１２０°の等間隔で形成し、第２レンズ用カム溝２１を１１７°−１１７°−１２６°の不等間隔で形成しても同様の効果を得ることができる。また、双方を不等間隔で形成してよい。
【０１２５】
また、不等間隔で形成する場合も、上記の例のように、１１７°−１１７°−１２６°で形成するのではなく、たとえば、１１５°−１１５°−１３０°で形成してもよい。すなわち、各カムピンが交差部を同時に通過しない間隔であればよく、溝を形成する筒体の径や溝の幅等に応じて適宜最適な値を選択して形成する。
【０１２６】
さらに、このようにカム溝を不等間隔で形成することは、カム溝同士を交差させる場合にも適用することができ、同様の効果を得ることができる。すなわち、各カム溝に係合するカムピンが交差部を通過するタイミングをずらすことができ、作動不良を有効に防止できる。
【０１２７】
また、上記の例では、各第２レンズ用カム溝２１又は各移動筒用直進溝２２を光軸回りの方向にずらして形成することにより、各第２レンズ用カムピン２９及び各移動筒用カムピン２５が交差部を通過するタイミングをずらすようにしているが、各第２レンズ用カム溝２１を光軸方向にずらして形成することにより、各第２レンズ用カムピン２９及び各移動筒用カムピン２５が交差部を通過するタイミングをずらすこともできる。
【０１２８】
たとえば、図１８に示すように、各第２レンズ用カム溝２１を光軸方向δにずらして形成する。これにより、各交差部の位置が光軸方向にズレ、各第２レンズ用カムピン２９が及び各移動筒用カムピン２５が交差部を通過するタイミングをずらすことができる。
【０１２９】
なお、このようにカム溝を光軸方向にずらして形成することにより、カムピンが交差部を通過するタイミングをずらすことは、カム溝同士を交差させる場合にも適用することができ、同様の効果を得ることができる。
【０１３０】
なお、各第２レンズ用カム溝２１を光軸方向にずらして形成する場合、回転筒１７の長さが長くなるが、各第２レンズ用カム溝２１又は各移動筒用直進溝２２を光軸回りの方向にずらして形成する場合には、このような不具合もなく、レンズ装置２のコンパクト化も図ることができる。
【０１３１】
また、本実施の形態では、移動筒用直進溝２２を第２レンズ用カム溝２１の第２レンズ変倍案内部５６（変倍領域）で交差させるようにしているが、第２レンズ収納案内部５８（収納領域）で交差させるようにしてもよい。このように、第２レンズ収納案内部５８で移動筒用直進溝２２を交差させることにより、たとえカムピンが交差部に引っ掛かったような場合であっても、撮影に影響を与えることがない。また、これにより変倍操作時には、第２レンズ筒１４をスムーズに動作させることができる。
【０１３２】
なお、このように、移動筒用直進溝２２と第２レンズ用カム溝２１とは、自由に交差位置を選択することができ、カム溝同士を回転筒１７の内周面に交差させて形成する場合に比べ、設計の自由度が向上する。
【０１３３】
すなわち、カム溝同士を交差させる場合は、各カム溝を通過するカムピンが交差部において他方のカム溝に誘導されるのを防止するため、ある程度の角度をもってカム溝同士が交差するように位置を考えなければならず、この結果として、設計の自由度が低下する。そして、このようにして選択したカム溝の交差位置と、本来鏡筒の径を最小にするのに最適なカム溝の交差位置とは必ずしも一致しないため、安定した動作を確保しつつ、カム溝同士を交差させて鏡筒を小型化するのには限界がある。
【０１３４】
一方、直進溝は光軸と平行に形成されているため、カム溝とどの位置で交差させても筒体の径には何ら影響を及ぼすことがなく、自由に設計できる。そして、このように自由に交差位置を選択できる結果、最も交差角度が大きくなる位置でカム溝と直進溝とを交差させることができ、この結果、筒体を安定動作を確保しつつ、可能な限り筒体の径の小型化が図れる。
【０１３５】
また、本実施の形態では、移動筒用直進溝２２に係合する移動筒用カムピン２５の直進溝係合部２５Ｃを細長の円形状に形成しているが、直進溝係合部２５Ｃの形状は、この形状に限定されるものではなく、第２レンズ用カム溝２１の交差部における幅よりも長い形状を有していればよい。
【０１３６】
なお、このように一方の溝に係合するカムピンの長さを、他方の溝の交差部における幅よりも長く形成することにより、一方の溝に係合するカムピンが、他方の溝に入り込むのを防止することは、カム溝同士を交差させる場合にも適用することができる。すなわち、カム溝同士を交差させた場合に、一方のカム溝に係合するカムピンの長さを、他方のカム溝の交差部における幅よりも長く形成する。これにより、一方のカム溝に係合するカムピンが、他方のカム溝に入り込むのを防止することができる。そして、これにより、交差角度が小さい場合であっても、一方のカム溝に係合するカムピンが、他方のカム溝に入り込むのを防止することができるので、鏡筒の小型化が図れる。
【０１３７】
また、本実施の形態では、第２レンズ用カム溝２１と移動筒用直進溝２２とが、それぞれ光軸回りに３本ずつ形成されているレンズ装置に本発明を適用した例で説明したが、カム溝と直進溝とが、それぞれ光軸回りに２本以上形成されているレンズ装置であれば、同様に適用することができる。
【０１３８】
また、本実施の形態では、２群構成のズームレンズとしているが、本発明ではこれに限らず３群以上の構成でもよい。
【０１３９】
また、ズームレンズカメラに限らず、例えばテレ位置、ワイド位置、及び沈胴位置とに切り換わる２焦点カメラにも本発明を適用することができ、また、電子スチルカメラに限らず、銀塩カメラにも本発明を適用することができる。
【図面の簡単な説明】
【０１４０】
【図１】電子スチルカメラの外観構成を示す斜視図
【図２】レンズ装置の分解斜視図
【図３】沈胴位置の状態のレンズ装置を示した断面図
【図４】テレ位置の状態のレンズ装置を示した断面図
【図５】ワイド位置の状態のレンズ装置を示した断面図
【図６】第１レンズ筒と第２レンズ筒とを光軸と直交する方向に切断した断面図
【図７】移動筒に設けられた第１レンズ用カム溝の構成を示す展開図
【図８】固定筒に設けられた移動筒用カム孔と第２レンズ用直進孔との構成を示す展開図
【図９】移動筒用カムピンの構成を示す平面図
【図１０】移動筒用カムピンの構成を示す側面図
【図１１】第２レンズ用カムピンの構成を示す正面図
【図１２】回転筒の内周面に形成された第２レンズ用カム溝と移動筒用直進溝の構成を示す展開図
【図１３】第２レンズ用カム溝と第２レンズ用カムピンとの係合状態を示す断面図
【図１４】第２レンズ用カム溝と第２レンズ用カムピンとの係合状態を示す断面図
【図１５】第２レンズ用カム溝と移動筒用直進溝との交差部の構成を示す断面図
【図１６】第１レンズ筒、第２レンズ筒及び移動筒等の移動軌跡を示した説明図
【図１７】回転筒の内周面に形成された第２レンズ用カム溝と移動筒用直進溝の他の実施の形態の構成を示す断面図
【図１８】回転筒の内周面に形成された第２レンズ用カム溝と移動筒用直進溝の他の実施の形態の構成を示す展開図
【図１９】回転筒の内周面に形成された第２レンズ用カム溝と移動筒用直進溝の他の実施の形態の構成を示す展開図
【符号の説明】
【０１４１】
１…電子スチルカメラ、２…レンズ装置、１０ａ…結像面、１１…第１レンズ、１２…第２レンズ、１３…第１レンズ筒、１４…第２レンズ筒、１５…移動筒、１６…固定筒、１７…回転筒、２０…光軸、２１…第２レンズ用カム溝、２２…移動筒用直進溝、２３…第２レンズ用直進孔、２４…移動筒用カム孔、２５…移動筒用カムピン、２５Ａ…カム孔係合部、２５Ｂ…ガイド溝係合部、２５Ｃ…直進溝係合部、２６…第１レンズ用カム溝、２７…直進ガイド溝、２８…第１レンズ用カムピン、２９…第２レンズ用カムピン、３０…直進ガイド突起、３３…第２レンズ枠、３４…フォーカスモータ、３７…バネ、３８…アーム、４０…移動筒収納案内部、４１…移動筒移動阻止部、４２…第１レンズ収納準備案内部、４３…第１レンズ移動阻止部、４４…第１レンズ変倍案内部、４９…ガイド溝、５４…直進孔係合部、５５…カム溝係合部、５５ａ…収納係合部、５５ｂ…変倍係合部、５６…第２レンズ変倍案内部、５６ａ…第１テーパ面、５６ｂ…第２テーパ面、５８…第２レンズ収納案内部、５８ａ…第２レンズ収納案内部の両側面
【図１】
2006023781.tif 000003
【図２】
2006023781.tif 000004
【図３】
2006023781.tif 000005
【図４】
2006023781.tif 000006
【図５】
2006023781.tif 000007
【図６】
2006023781.tif 000008
【図７】
2006023781.tif 000009
【図８】
2006023781.tif 000010
【図９】
2006023781.tif 000011
【図１０】
2006023781.tif 000012
【図１１】
2006023781.tif 000013
【図１２】
2006023781.tif 000014
【図１３】
2006023781.tif 000015
【図１４】
2006023781.tif 000016
【図１５】
2006023781.tif 000017
【図１６】
2006023781.tif 000018
【図１７】
2006023781.tif 000019
【図１８】
2006023781.tif 000020
【図１９】
2006023781.tif 000021